(57)【特許請求の範囲】
【請求項１】
複数のチャネルの信号を受信し、１つのチャネルを選局して出力する選局部と、
前記複数のチャネルは、放送局からの信号が伝送される放送局用のチャネルと、自主放送用のチャネルとを含み、
前記選局部で選局されたチャネルの信号を復調するＯＦＤＭ復調部と、
前記復調された信号に緊急情報が含まれているか否かを判別する判別部と、
前記復調された信号からトランスポートストリームパケットを抽出する抽出部と、
緊急通知用の画像データおよび／または音声データをペイロード部に含む緊急通知用トランスポートストリームパケットを記憶する記憶部と、
前記選局部で前記自主放送用のチャネルが選択され、かつ前記緊急情報が含まれている場合には、前記記憶部に記憶された緊急通知用トランスポートストリームパケットを出力し、前記選局部で前記放送局用のチャネルが選択された場合、または前記緊急情報が含まれていない場合には、前記抽出したトランスポートストリームパケットを出力する選択部と、
前記選択部から出力されたトランスポートストリームパケットをインターネットプロトコル方式の信号であるＩＰ信号に変換するＴＳ／ＩＰ変換部とを備えた、受信装置。
【請求項２】
前記ＴＳ／ＩＰ変換部は、前記トランスポートストリームパケットをＵＤＰ（User Datagram Protocol）パケットに変換する、請求項１に記載の受信装置。
【請求項３】
前記ＴＳ／ＩＰ変換部は、前記トランスポートストリームパケットをＲＴＰ（Real-time Transport Protocol）パケットに変換する、請求項１に記載の受信装置。
【請求項４】
前記複数のチャネルの信号は、ＩＳＤＢ−Ｔ方式の信号である、請求項１に記載の受信装置。
【請求項５】
前記緊急情報は、ＩＳＤＢ−Ｔで規定される緊急放送起動フラグである、請求項４記載の受信装置。
【請求項６】
受信装置と、受信装置で受信した信号の表示を制御する表示制御装置とからなる受信システムであって、
前記受信装置は、
複数のチャネルの信号を受信し、１つのチャネルを選局して出力する選局部と、
前記複数のチャネルは、放送局からの信号が伝送される放送局用のチャネルと、自主放送用のチャネルとを含み、
前記選局部で選局されたチャネルの信号を復調するＯＦＤＭ復調部と、
前記復調された信号に緊急情報が含まれているか否かを判別する判別部と、
前記復調された信号からトランスポートストリームパケットを抽出する抽出部と、
緊急通知用の画像データおよび／または音声データをペイロード部に含む緊急通知用トランスポートストリームパケットを記憶する記憶部と、
前記選局部で前記自主放送用のチャネルが選択され、かつ前記緊急情報が含まれている場合には、前記記憶部に記憶された緊急通知用トランスポートストリームパケットを出力し、前記選局部で前記放送局用のチャネルが選択された場合、または前記緊急情報が含まれていない場合には、前記抽出したトランスポートストリームパケットを出力する選択部と、
前記選択部から出力されたトランスポートストリームパケットをインターネットプロトコル方式の信号であるＩＰ信号に変換するＴＳ／ＩＰ変換部とを備え、
前記表示制御装置は、
前記ＩＰ信号に含まれる画像データおよび／または音声データを蓄積し、前記蓄積した画像データおよび／または音声データを読み出して表示モニタに出力する、受信システム。
【発明の詳細な説明】
【技術分野】
【０００１】
本発明は、受信装置および受信システムに関し、特にＩＳＤＢ−Ｔ（Integrated Services Digital Broadcasting for Terrestrial）方式で送信される信号を受信する受信装置および受信システムに関する。
【背景技術】
【０００２】
従来から、地震などに備えるため、テレビを通じて緊急警報を通報するシステムが知られている。
【０００３】
たとえば、特許文献１（特開２０１１−６１４０９号公報）には、緊急防災情報通知機能を備えたテレビが開示されている。この装置では、デジタル放送チューナーが、被圧縮の画像データを受信した際、あるいは、電子番組表データに緊急災害情報が重畳された受信データを受信した際、緊急情報識別信号を出力する緊急情報識別信号出力手段を備え、この緊急情報識別信号に基づいて、表示処理部のＯＳＤ処理部を直接制御し、テレビのデコーダ、映像処理部、表示処理部で処理することなく、緊急災害情報を瞬時に表示できるようにする。
【先行技術文献】
【特許文献】
【０００４】
【特許文献１】特開２０１１−６１４０９号公報
【発明の概要】
【発明が解決しようとする課題】
【０００５】
しかしながら、特許文献１の装置では、非圧縮の緊急通知用の画像を送信側の放送局から受信側の装置へ伝送しなければならない。そのため、伝送遅延が発生する。また、自主放送用のチャネルで、緊急を通知することができない。
【０００６】
それゆえに、本発明の目的は、緊急警報を遅延することなく受信することができる受信装置および受信システムを提供することである。
【課題を解決するための手段】
【０００７】
上記課題を解決するために、本発明の受信装置は、複数のチャネルの信号を受信し、１つのチャネルを選局して出力する選局部と、選局部で選局されたチャネルの信号を復調するＯＦＤＭ復調部と、復調された信号に緊急情報が含まれているか否かを判別する判別部と、復調された信号からトランスポートストリームパケットを抽出する抽出部と、緊急通知用の画像データおよび／または音声データをペイロード部に含む緊急通知用トランスポートストリームパケットを記憶する記憶部と、選局部で特定のチャネルが選択され、かつ緊急情報が含まれている場合には、記憶部に記憶された緊急通知用トランスポートストリームパケットを出力し、選局部で特定のチャネル以外のチャネルが選択された場合、または緊急情報が含まれていない場合には、抽出したトランスポートストリームパケットを出力する選択部と、選択部から出力されたトランスポートストリームパケットをインターネットプロトコル方式の信号であるＩＰ信号に変換するＴＳ／ＩＰ変換部とを備える。
【０００８】
好ましくは、特定のチャネルは、自主放送用のチャネルである。
本発明の受信装置は、複数のチャネルの信号を受信し、１つのチャネルを選局して出力する選局部と、選局部で選局されたチャネルの信号を復調するＯＦＤＭ復調部と、復調された信号に緊急情報が含まれているか否かを判別する判別部と、復調された信号からトランスポートストリームパケットを抽出する抽出部と、緊急通知用の画像データおよび／または音声データをペイロード部に含む緊急通知用トランスポートストリームパケットを記憶する記憶部と、緊急情報が含まれている場合には、記憶部に記憶された緊急通知用トランスポートストリームパケットを出力し、緊急情報が含まれていない場合には、抽出したトランスポートストリームパケットを出力する選択部と、選択部から出力されたトランスポートストリームパケットをインターネットプロトコル方式の信号であるＩＰ信号に変換するＴＳ／ＩＰ変換部とを備える。
【０００９】
好ましくは、ＴＳ／ＩＰ変換部は、トランスポートストリームパケットをＵＤＰ（User Datagram Protocol）パケットに変換する。
【００１０】
好ましくは、ＴＳ／ＩＰ変換部は、トランスポートストリームパケットをＲＴＰ（Real-time Transport Protocol）パケットに変換する。
【００１１】
好ましくは、複数のチャネルの信号は、ＩＳＤＢ−Ｔ方式の信号である。
好ましくは、緊急情報は、ＩＳＤＢ−Ｔで規定される緊急放送起動フラグである。
【００１２】
本発明は、受信装置と、受信装置で受信した信号の表示を制御する表示制御装置とからなる受信システムである。受信装置は、複数のチャネルの信号を受信し、１つのチャネルを選局して出力する選局部と、選局部で選局されたチャネルの信号を復調するＯＦＤＭ復調部と、復調された信号に緊急情報が含まれているか否かを判別する判別部と、復調された信号からトランスポートストリームパケットを抽出する抽出部と、緊急通知用の画像データおよび／または音声データをペイロード部に含む緊急通知用トランスポートストリームパケットを記憶する記憶部と、選局部で特定のチャネルが選択され、かつ緊急情報が含まれている場合には、記憶部に記憶された緊急通知用トランスポートストリームパケットを出力し、選局部で特定のチャネル以外のチャネルが選択された場合、または緊急情報が含まれていない場合には、抽出したトランスポートストリームパケットを出力する選択部と、選択部から出力されたトランスポートストリームパケットをインターネットプロトコル方式の信号であるＩＰ信号に変換するＴＳ／ＩＰ変換部とを備える。表示制御装置は、ＩＰ信号に含まれる画像データおよび／または音声データを蓄積し、蓄積した画像データおよび／または音声データを読み出して表示モニタに出力する。
【００１３】
本発明は、受信装置と、受信装置で受信した信号の表示を制御する表示制御装置とからなる受信システムである。受信装置は、複数のチャネルの信号を受信し、１つのチャネルを選局して出力する選局部と、選局部で選局されたチャネルの信号を復調するＯＦＤＭ復調部と、復調された信号に緊急情報が含まれているか否かを判別する判別部と、復調された信号からトランスポートストリームパケットを抽出する抽出部と、緊急通知用の画像データおよび／または音声データをペイロード部に含む緊急通知用トランスポートストリームパケットを記憶する記憶部と、緊急情報が含まれている場合には、記憶部に記憶された緊急通知用トランスポートストリームパケットを出力し、緊急情報が含まれていない場合には、抽出したトランスポートストリームパケットを出力する選択部と、選択部から出力されたトランスポートストリームパケットをインターネットプロトコル方式の信号であるＩＰ信号に変換するＴＳ／ＩＰ変換部とを備える。表示制御装置は、ＩＰ信号に含まれる画像データおよび／または音声データを蓄積し、蓄積した画像データおよび／または音声データを読み出して表示モニタに出力する。
【発明の効果】
【００１４】
本発明の受信装置および受信システムによれば、緊急警報を遅延することなく受信することができる。
【図面の簡単な説明】
【００１５】
【図１】本発明の実施形態のデジタル伝送システムの構成を表わす図である。
【図２】図１に含まれるコンテンツ作成送信装置の構成を表わす図である。
【図３】図１に含まれる受信システム５＿１の構成を表わす図である。
【図４】本発明の実施形態の受信装置の動作手順を表わすフローチャートである。
【図５】（ａ）および（ｂ）は、表示モニタに表示される画面の例を表わす図である。
【発明を実施するための形態】
【００１６】
以下、本発明の実施形態について図面を参照して説明する。
図１は、本発明の実施形態のデジタル伝送システムの構成を表わす図である。
【００１７】
このデジタル伝送システムは、コンテンツ作成送信装置２と、混合器３と、分配器４と、複数の受信システム５＿１〜５＿４と、複数の表示モニタ６＿１〜６＿４とを備える。
【００１８】
コンテンツ作成送信装置２および混合器３は、たとえば、ビルの管理センタやマンションの管理センタなどに設置され、受信システム５＿１〜５＿４の各々は、テナントや家庭に設けられる。
【００１９】
コンテンツ作成送信装置２と混合器３との間、混合器３と受信システム５＿１〜５＿４との間は、たとえば同軸ケーブルで接続される。
【００２０】
コンテンツ作成送信装置２は、自主放送用のコンテンツとしてサイネージ画像を含む画像ファイルを作成して、放送局１から送信されるＩＳＤＢ−Ｔ（Integrated Services Digital Broadcasting for Terrestrial）方式の信号と同じ形式の信号に変換して出力する。具体的には、コンテンツ作成送信装置２は、画像ファイルの信号を放送局から送信される複数チャネルとは別の空きチャネル（チャネルＡとする）の周波数の信号に変換する。
【００２１】
混合器３は、コンテンツ作成送信装置２から出力される１つのチャネルの信号と放送局から送信された複数チャネルの信号とを混合して、出力する。
【００２２】
分配器４は、混合器３から出力される信号を分配して、受信システム５＿１〜５＿４へ供給する。
【００２３】
受信システム５＿１〜５＿４は、受信装置７＿１〜７＿４と、表示制御装置８＿１〜８＿４を含む。
【００２４】
受信装置７＿１〜７＿４は、受信したＯＦＤＭ変調された信号を復調することによって得られたＴＳパケットをＩＰ信号に変換して、表示制御装置８＿１〜８＿４へ出力する。
【００２５】
表示制御装置８＿１〜８＿４は、受信装置７＿１〜７＿４から送られたＩＰ信号に含まれる画像ファイルおよび／または音声ファイルを蓄積し、ＩＰ信号に含まれる制御信号に基づいて蓄積したファイルを表示モニタ６＿１〜６＿４へ、たとえばＨＤＭＩ（High-Definition Multimedia Interface）ケーブルまたは同軸ケーブルを介して出力する。
【００２６】
表示モニタ６＿１〜６＿４は、表示制御装置８＿１〜８＿４から出力される画像を表示し、音声をスピーカ出力する。
【００２７】
受信システム５＿１〜５＿４は、たとえばパソコンで構成されており、受信装置７＿１〜７＿４は、パソコンに接続するボードで実現され、表示制御装置８＿１〜８＿４は、パソコン本体のＣＰＵ、メモリなどで実現され、表示モニタ６＿１〜６＿４がパソコンのディスプレイで実現されているものとする。表示モニタ６＿１〜６＿４は、パソコンのディスプレイの代りに、ＴＶ受信機であってもよい。
【００２８】
図２は、図１に含まれるコンテンツ作成送信装置２の構成を表わす図である。
図２に示すように、コンテンツ作成送信装置２は、サイネージ画像作成部１１と、サイネージ画像記憶部１２と、ＴＳ変換部１３と、緊急通知部１５と、ＯＦＤＭ（Orthogonal
Frequency Division Multiplexing）変調部１４とを備える。
【００２９】
サイネージ画像作成部１１は、ＭＰＥＧ（Moving Picture Experts Group）形式のサイネージ画像を含む画像ファイルを作成する。
【００３０】
サイネージ画像記憶部１２は、作成された画像ファイルを記憶する。
ＴＳ変換部１３は、画像ファイルをＴＳ（Transport Stream)パケットに変換する。
【００３１】
緊急通知部１５は、緊急時において、ＴＭＣＣ（Transmission and Multiplexing Configuration and Control）信号における緊急警報情報が放送中であるか否かを示す緊急警報起動フラグに「１」を設定し、通常時において、緊急警報起動フラグに「０」を設定する。ここで、緊急時とは、受信装置７＿１〜７＿４が設置されている場所に特有の緊急時をいう。たとえば、受信装置７＿１〜７＿４が１つのビルに設置されているときには、そのビルの火災時などである。
【００３２】
ＯＦＤＭ変調部１４は、ＴＳパケット、および緊急警報起動フラグを含むＴＭＣＣ信号をＯＦＤＭ変調する。
【００３３】
図３は、図１に含まれる受信システム５＿１の構成を表わす図である。他の受信システム５＿２〜５＿４も、これと同様である。
【００３４】
図３を参照して、この受信システム５＿１は、受信装置７＿１と、表示制御装置８＿１とを備える。
【００３５】
受信装置７＿１は、選局部２１と、ＯＦＤＭ復調部２２と、緊急情報判別部２３と、ＴＳ抽出部２４と、緊急通知用ＴＳパケット記憶部２５と、選択部２６と、ＴＳ／ＩＰ変換部２７とを備える。
【００３６】
選局部２１は、分配器４から出力される複数のチャネルの信号を受信し、ユーザなどによって選択された１つのチャネルを選局して出力する。
【００３７】
ＯＦＤＭ復調部２２は、選局部２１から出力される選局されたチャネルの信号をＯＦＤＭ復調する。
【００３８】
緊急情報判別部２３は、ＯＦＤＭ復調された信号に緊急情報が含まれているか否かを判別する。たとえば、緊急情報判別部２３は、ＯＦＤＭ復調された信号に緊急警報起動フラグが含まれ、緊急警報起動フラグが緊急を示す値（すなわち「１」）に設定されているときには、緊急情報が含まれていると判別する。緊急情報判別部２３は、ＯＦＤＭ復調された信号に緊急警報起動フラグが含まれていないか、または含まれていても、その緊急警報起動フラグが緊急を示す値（すなわち「１」）に設定されていないときには、緊急情報が含まれていないと判別する。
【００３９】
ＴＳ抽出部２４は、ＯＦＤＭ復調された信号からＴＳパケットを抽出する。
緊急通知用ＴＳパケット記憶部２５は、緊急通知用ＴＳパケットを記憶する。緊急通知用ＴＳパケットは、緊急通知用画像ファイルおよび／または緊急通知用音声ファイルを構成するＴＳパケットである。
【００４０】
選択部２６は、選局部２１で特定のチャネルである自主放送用のチャネル（チャネルＡ）が選択されたときに、緊急情報が含まれていると判別された場合には、緊急通知用ＴＳパケットを選択して出力する。選択部２６は、選局部２１で自主放送用のチャネル以外のチャネルが選択された場合、または緊急情報が含まれていないと判別された場合には、ＴＳ抽出部２４から出力されたＴＳパケットを選択して出力する。
【００４１】
ＴＳ／ＩＰ変換部２７は、選択部２６から出力されたＴＳパケットをインターネットプロトコル方式の信号であるＩＰ信号に変換して出力する。具体的には、ＴＳ／ＩＰ変換部２７は、ＴＳパケットをＵＤＰ（User Datagram Protocol）パケットに変換して出力する。ＵＤＰパケットに変換するのは、ＵＤＰでは、ＴＣＰと異なり、再送制御が行なわれないため、伝送遅延が生じないからである。ＵＤＰパケットの宛先として、受信装置が１つの表示制御装置と接続されているときには、その接続先の表示制御装置のアドレスが指定されるが、受信装置が複数の表示制御装置と接続されているときには、複数の接続先の表示制御装置を指定するブロードキャストアドレスまたはマルチキャストアドレスが指定されることとしてもよい。
【００４２】
表示制御装置８＿１は、ＩＰ受信部２９と、ファイル抽出部２８と、蓄積部３１と、蓄積検出部３０と、表示出力部３２とを備える。
【００４３】
ＩＰ受信部２９は、受信装置７＿１から出力されるＵＤＰパケットを受信する。
ファイル抽出部２８は、抽出されたＵＤＰパケットのペイロード部分から画像ファイルおよび／または音声ファイルを構成するデータを抽出して蓄積部３１に蓄積する。
【００４４】
蓄積部３１は、抽出された画像ファイルまたは音声ファイルを構成するデータを蓄積する。
【００４５】
蓄積検出部３０は、蓄積部３１において、１つの画像ファイルまたは音声ファイルを構成する全データが蓄積したか、すなわち１つの画像ファイルまたは音声ファイルが完成したか否かを検出する。
【００４６】
表示出力部３２は、蓄積検出部３０で１つの画像ファイルまたは音声ファイルが完成したことが検出されたときに、その画像ファイルまたは音声ファイルを再生して、表示モニタ６＿１へ出力する。
【００４７】
（動作）
図４は、本発明の実施形態の受信装置の動作手順を表わすフローチャートである。
【００４８】
図４を参照して、まず、選局部２１は、分配器４から出力される複数のチャネルの信号を受信し、ユーザなどによって選択された１つのチャネルを選局して出力する（ステップＳ１００）。
【００４９】
次に、ＯＦＤＭ復調部２２は、選局部２１から出力される選局されたチャネルの信号をＯＦＤＭ復調する（ステップＳ１０１）。
【００５０】
次に、緊急情報判別部２３は、ＯＦＤＭ復調された信号に緊急情報が含まれているか否かを判別する（ステップＳ１０２）。
【００５１】
ＴＳ抽出部２４は、ＯＦＤＭ復調された信号からＴＳパケットを抽出する（ステップＳ１０３）。
【００５２】
選択部２６は、選局部２１で自主放送用のチャネルが選択され、かつ緊急情報が含まれていると判別された場合には（ステップＳ１０４でＹＥＳ）、緊急通知用ＴＳパケットを選択して出力する（ステップＳ１０５）。
【００５３】
一方、選択部２６は、選局部２１で自主放送用のチャネル以外のチャネルが選択されたとき、または緊急情報が含まれていないと判別された場合には（ステップＳ１０４でＮＯ）、ＴＳ抽出部２４から出力されたＴＳパケットを選択して出力する（ステップＳ１０６）。
【００５４】
ＴＳ／ＩＰ変換部２７は、選択部２６から出力されたＴＳパケットをＵＤＰパケットに変換して出力する（ステップＳ１０７）。
【００５５】
図５（ａ）は、通常時に表示モニタ６＿１に表示される画面例を表わす図である。
自主放送のチャネルが選択され、かつ通常時（すなわち緊急警報起動フラグが「０」に設定されているとき）には、コンテンツ作成送信装置２で作成されたサイネージ画像が表示モニタ６＿１に表示される。
【００５６】
図５（ｂ）は、緊急時に表示モニタ６＿１に表示される別の画面例を表わす図である。
自主放送のチャネルが選択され、かつ緊急時（すなわち緊急警報起動フラグが「１」に設定されているとき）には、受信装置７＿１で保持する緊急通知用ＴＳパケットに含まれる緊急通知画像が表示モニタ６＿１に表示される。
【００５７】
以上のように、本発明の実施形態によれば、自主放送用のチャネルで緊急警報を遅延することなく受信することができる。
【００５８】
なお、本発明の実施形態では、コンテンツ作成送信装置が、サイネージ画像を含む画像ファイルを作成して送信することとしたが、これに限定するものではない。たとえば音声ファイルを作成して送信することとしてもよい。
【００５９】
また、ＴＳ／ＩＰ変換部では、ＴＳパケットをＵＤＰパケットに変換することとしたが、これに限定するものではない。リアルタイムでの再生が望まれるときには、ＴＳ／ＩＰ変換部は、たとえばＴＳパケットをＲＴＰ（Real-time Transport Protocol）パケットに変換することとしてもよい。
【００６０】
（変形例）
本発明は、上記の実施形態に限定されるものではなく、たとえば以下のような変形例も含む。
【００６１】
（１）  自主放送
本発明の実施形態では、特定のチャネルが自主放送用のチャネルであるとして説明したが、これに限定するものではない。特定のチャネルとして自主放送用のチャネル以外の一般のチャネル、たとえば予め定められたチャネルであってもよい。この場合、放送局から送信される特定のチャネルの信号は、自主放送のチャネルの信号と同様に、緊急情報として緊急フラグを含む。
【００６２】
（２）  選択部
本発明の実施形態では、選択部２６は、選局部２１で自主放送用のチャネルが選択され、かつ緊急情報が含まれていると判別された場合には、緊急通知用ＴＳパケットを選択して出力し、選局部２１で自主放送用のチャネル以外のチャネルが選択されたとき、または緊急情報が含まれていないと判別された場合には、ＴＳ抽出部２４から出力されたＴＳパケットを選択して出力するとしたが、これに限定するものではない。
【００６３】
たとえば、選択部２６は、選局部２１での選択したチャネルに係らず、緊急情報が含まれていると判別された場合には、緊急通知用ＴＳパケットを選択して出力し、緊急情報が含まれていないと判別された場合には、ＴＳ抽出部２４から出力されたＴＳパケットを選択して出力するものとしてもよい。
【００６４】
（３）  分配器
本実施の形態では、分配器４は、混合器３から出力される信号を４分配して、４個の受信システム５＿１〜５＿４へ供給したが、これに限定するものではなく、４以外の数で分配することとしてもよい。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６６】
１  放送局、２  コンテンツ作成送信装置、３  混合器、４  分配器、５，５＿１〜５＿４  受信システム、６＿１〜６＿４  表示モニタ、７＿１〜７＿４  受信装置、８＿１〜８＿４  表示制御装置、１１  サイネージ画像作成部、１２  サイネージ画像記憶部、１３  ＴＳ変換部、１４  ＯＦＤＭ変調部、１５  緊急通知部、２１  選局部、２２  ＯＦＤＭ復調部、２３  緊急情報判別部、２４  ＴＳ抽出部、２５  緊急通知用ＴＳパケット記憶部、２６  選択部、２７  ＴＳ／ＩＰ変換部、２８  ファイル抽出部、２９  ＩＰ受信部、３０  蓄積検出部、３１  蓄積部、３２  表示出力部。
【図１】
0005764485.tif 000002
【図２】
0005764485.tif 000003
【図３】
0005764485.tif 000004
【図４】
0005764485.tif 000005
【図５】
0005764485.tif 000006